(57)【要約】【課題】養液に光が照射されることを抑制できる植物栽培装置を提供する。【解決手段】植物栽培装置１１は、植物１２が定植された定植板１３を載置可能であって植物１２の根が浸される養液を貯留可能な養液貯留部１５と、植物１２に光を照射する光源２６と、養液貯留部１５における定植板１３が載置されない非載置領域２９を覆う閉塞位置と非載置領域２９を覆わない開放位置との間で移動可能な遮光性のカバー部材４１とを備える。【選択図】図１
2018170982.tif 000002
【特許請求の範囲】
【請求項１】
植物が定植された定植板を載置可能であって前記植物の根が浸される養液を貯留可能な養液貯留部と、
前記植物に光を照射する光源と、
前記養液貯留部における前記定植板が載置されない非載置領域を覆う閉塞位置と前記非載置領域を覆わない開放位置との間で移動可能な遮光性のカバー部材と、
を備えることを特徴とする植物栽培装置。
【請求項２】
複数の前記養液貯留部と、
複数の前記養液貯留部の前記非載置領域をそれぞれ覆うことが可能な複数の前記カバー部材と、
複数の前記カバー部材を移動可能な移動機構と、
を備えることを特徴とする請求項１に記載の植物栽培装置。
【請求項３】
前記カバー部材は、鉛直方向への移動により前記非載置領域を開閉することを特徴とする請求項１または請求項２に記載の植物栽培装置。
【請求項４】
前記養液貯留部は、一方向に延びており、
前記養液貯留部の長手方向における一端部には前記養液が供給される供給口が設けられ、前記養液貯留部の長手方向における他端部には前記養液が排出される排出口が設けられていることを特徴とする請求項１〜請求項３のうちいずれか一項に記載の植物栽培装置。
【請求項５】
前記排出口の大きさは、前記供給口の大きさよりも大きいことを特徴とする請求項４に記載の植物栽培装置。
【発明の詳細な説明】
【技術分野】
【０００１】
本発明は、例えば野菜などの植物を栽培する植物栽培装置に関する。
【背景技術】
【０００２】
従来、この種の植物栽培装置としては、例えば特許文献１に示すものが知られている。このような植物栽培装置は、互いに平行に配置された一方向に延びる複数の樋状部材と、複数の樋状部材上に跨るように載置される複数の栽培トレイと、栽培トレイに植栽された植物に光を照射する照明とを備える。樋状部材は、長手方向において僅かに傾斜している。
【０００３】
樋状部材は、長手方向の中央部に栽培トレイが載置される載置領域を有し、載置領域を挟む長手方向の両端部に栽培トレイが載置されない上端領域及び下端領域をそれぞれ有する。樋状部材は、載置領域の最上部に養液を供給するためのノズルが設けられ、載置領域の最下部に余剰の養液を排出するための排出口が設けられる。栽培トレイは、栽培トレイに植栽された植物の根が養液に浸されるように樋状部材上に載置される。
【０００４】
ところで、上述のような植物栽培装置では、養液に光が照射されると、藻や細菌などが発生するため、養液に光が照射されないようにする必要がある。このため、光が照射される樋状部材内における栽培トレイが載置されない下端領域には、養液が貯留しないように傾斜板が設けられている。すなわち、樋状部材の下端領域に載置領域の最下部に位置する排出口から上方へ延びる傾斜板を設けることにより、排出口を通過して下端領域に流れる養液を排出口へ逆流させるようにしている。
【先行技術文献】
【特許文献】
【０００５】
【特許文献１】特開２０１４−８２９９６号公報
【発明の概要】
【発明が解決しようとする課題】
【０００６】
しかし、上述のような植物栽培装置では、傾斜板上に養液の水滴や千切れた植物の根などが残ることがある。このため、養液の水滴や千切れた植物の根に光が照射されることにより、藻や細菌などが発生するという問題があった。
【０００７】
本発明は、このような従来技術に存在する問題点に着目してなされた。その目的は、養液に光が照射されることを抑制できる植物栽培装置を提供することにある。
【課題を解決するための手段】
【０００８】
以下、上記課題を解決するための手段及びその作用効果について記載する。
上記課題を解決する植物栽培装置は、植物が定植された定植板を載置可能であって前記植物の根が浸される養液を貯留可能な養液貯留部と、前記植物に光を照射する光源と、前記養液貯留部における前記定植板が載置されない非載置領域を覆う閉塞位置と前記非載置領域を覆わない開放位置との間で移動可能な遮光性のカバー部材と、を備える。
【０００９】
この構成によれば、カバー部材を閉塞位置に移動させることで、光源から養液貯留部の非載置領域に照射される光をカバー部材によって遮光することができる。このため、養液貯留部における非載置領域の養液に光が照射されることを抑制できる。
【００１０】
上記植物栽培装置は、複数の前記養液貯留部と、複数の前記養液貯留部の前記非載置領域をそれぞれ覆うことが可能な複数の前記カバー部材と、複数の前記カバー部材を移動可能な移動機構と、を備えることが好ましい。
【００１１】
この構成によれば、複数のカバー部材を移動機構によって同時に移動させることで、複数のカバー部材を効率的に移動させることができる。
上記植物栽培装置において、前記カバー部材は、鉛直方向への移動により前記非載置領域を開閉することが好ましい。
【００１２】
この構成によれば、カバー部材が鉛直方向への移動により非載置領域を開閉するため、水平方向にカバー部材を移動させるためのスペースを確保する必要がない。このため、植物栽培装置の設置面積を低減できる。
【００１３】
上記植物栽培装置において、前記養液貯留部は、一方向に延びており、前記養液貯留部の長手方向における一端部には前記養液が供給される供給口が設けられ、前記養液貯留部の長手方向における他端部には前記養液が排出される排出口が設けられていることが好ましい。
【００１４】
この構成によれば、養液貯留部内の一端部から他端部に亘って養液を流すことができる。このため、養液貯留部内の全体に養液を行き渡らせることができる。
上記植物栽培装置において、前記排出口の大きさは、前記供給口の大きさよりも大きいことが好ましい。
【００１５】
この構成によれば、養液に混じったごみや千切れた植物の根などを排出口から円滑に排出することができる。
【発明の効果】
【００１６】
本発明によれば、養液に光が照射されることを抑制できる。
【図面の簡単な説明】
【００１７】
【図１】実施形態の植物栽培装置においてカバー部材が開放位置にあるときの状態を示す斜視図。
【図２】植物が定植された定植板が載置された状態の養液貯留部を示す平面図。
【図３】図２の３−３線矢視断面図。
【図４】単位養液貯留部の断面模式図。
【図５】図１においてカバー部材が閉塞位置にあるときの状態を示す斜視図。
【図６】図５の要部拡大図。
【発明を実施するための形態】
【００１８】
以下、植物栽培装置の一実施形態を図面に従って説明する。
図１に示すように、植物栽培装置１１は、例えば野菜などの植物１２が定植された矩形状をなす複数の合成樹脂製の定植板１３を保管しながら植物１２を育成する直方体状の育成ラック１４を備えている。
【００１９】
育成ラック１４は、長手方向の一端部に形成された入口１４ａ及び長手方向の他端部に形成された出口１４ｂを有した四角筒状をなしている。育成ラック１４内には、植物１２が定植された定植板１３を載置可能な複数（本実施形態では２つ）の養液貯留部１５が入口１４ａから出口１４ｂへ向かう一方向に真っ直ぐに延びるように設けられている。これら２つの養液貯留部１５は、鉛直方向に所定の間隔を置いて配置されている。養液貯留部１５は、育成ラック１４を長手方向に貫くように配置され、入口１４ａに近い方の端部である第１端部１５ａ及び出口１４ｂに近い方の端部である第２端部１５ｂが育成ラック１４から突出している。
【００２０】
養液貯留部１５は、長手方向に延びる樋状（上端が開口した有底矩形箱状）に形成された複数（本実施形態では８つ）の単位養液貯留部１６によって構成されている。養液貯留部１５を構成する８つの単位養液貯留部１６は、互いに平行で且つ長手方向及び鉛直方向の両方と直交する幅方向において等間隔となるように配置されている。この場合、８つの単位養液貯留部１６は、必ずしも幅方向において等間隔となるように配置する必要はない。
【００２１】
図２及び図３に示すように、養液貯留部１５上には、複数の植物１２が幅方向においてジグザグ（いわゆる千鳥状）に並ぶように定植された複数の定植板１３が、養液貯留部１５の長手方向に並ぶように摺動可能に載置される。この場合、複数の定植板１３にそれぞれ定植される複数の植物１２は、必ずしもジグザグ（いわゆる千鳥状）に配置する必要はない。植物１２が定植された定植板１３は、養液貯留部１５を構成する８つの単位養液貯留部１６に跨るように配置されている。植物１２の根１７の先端部は、単位養液貯留部１６内に貯留された養液１８に浸されている。
【００２２】
図４に示すように、単位養液貯留部１６の第１端部１５ａ（長手方向における一端部）における底部には、単位養液貯留部１６内に養液１８を供給するための供給口１９が設けられている。単位養液貯留部１６の第２端部１５ｂ（長手方向における他端部）における底部には、単位養液貯留部１６内の養液１８を排出するための排出口２０が設けられている。排出口２０の大きさは、供給口１９の大きさよりも大きくなっている。
【００２３】
排出口２０は、排出流路２１を介して養液タンク２２に接続されている。養液タンク２２は、養液１８を貯留可能なタンクであり、排出流路２１から流入する養液１８を濾過するフィルター２３を内部に備えている。供給口１９は、供給流路２４を介して養液タンク２２に接続されている。供給流路２４には、養液タンク２２側から供給口１９側に向かって養液１８を送り出す供給ポンプ２５が設けられている。
【００２４】
供給ポンプ２５の駆動により供給口１９から単位養液貯留部１６内に供給された養液１８は、単位養液貯留部１６内を第１端部１５ａから第２端部１５ｂに向かって流れて排出口２０から排出される。排出口２０から排出された養液１８は、養液タンク２２のフィルター２３でごみなどが除去された後、再び供給口１９から単位養液貯留部１６内に供給される。つまり、養液１８は循環している。
【００２５】
図１及び図２に示すように、育成ラック１４内における各養液貯留部１５の上方には、植物１２に光を照射する複数の光源２６が配置されている。光源２６には、例えばＬＥＤ（light emitting diode）照明を用いることができる。光源２６からの光は、植物１２を生長させるために必要であり、定植板１３に定植された植物１２の葉２７を照らす。光源２６からの光は、養液１８に当たると、藻や細菌を発生させる。
【００２６】
しかし、養液１８が流れる養液貯留部１５（単位養液貯留部１６）内は、その上部に長手方向に互いに接触するようにほとんど隙間なく並ぶように載置された複数の定植板１３によって遮光されるため、藻や細菌がほとんど発生しない。すなわち、養液貯留部１５内における定植板１３と対応する領域には、光が当たらないため、藻や細菌がほとんど発生しない。
【００２７】
図２に示すように、養液貯留部１５上に載置された複数の定植板１３は、定植板１３を養液貯留部１５上の第１端部１５ａから第２端部１５ｂに向かって順次に押してスライド移動される。このため、養液貯留部１５上に載置された複数の定植板１３は、第２端部１５ｂに向かうほど植物１２の育成期間が長くなるため、第２端部１５ｂに向かうほど定植板１３に定植された植物１２が大きく生長する。この場合、養液貯留部１５の第２端部１５ｂ側の端と、養液貯留部１５上の最も第２端部１５ｂ側に位置する定植板１３の第２端部１５ｂ側の端とはほぼ面一になっている。
【００２８】
養液貯留部１５上の植物１２が定植された複数の定植板１３は、養液貯留部１５上の最も第２端部１５ｂに位置する定植板１３から順に出荷場所へ移送される。養液貯留部１５上の最も第２端部１５ｂに位置する定植板１３を移送した後は、直ちに養液貯留部１５上の第１端部１５ａに生長前の植物１２が定植された定植板１３が載置されて第２端部１５ｂ側に向かって定植板１３における養液貯留部１５の長手方向の幅分だけ押される。このようにして、植物栽培装置１１は、植物１２の連続的な出荷を可能としている。
【００２９】
養液貯留部１５は、養液貯留部１５上に載置する定植板１３を追加したり養液貯留部１５上に載置されている定植板１３を出荷場所へ移送したりしない場合、養液貯留部１５上における第１端部１５ａ以外の部分が、複数の定植板１３が載置される載置領域２８とされ、養液貯留部１５上における第１端部１５ａが、定植板１３が載置されない非載置領域２９とされている。
【００３０】
図１に示すように、育成ラック１４の入口１４ａにおける幅方向の両端部には、２つの養液貯留部１５の第１端部１５ａを幅方向に挟む一対のアーム３０が入口１４ａから育成ラック１４の長手方向の外側に向かって延びるように設けられている。一対のアーム３０は、幅方向に延びる一対の連結棒３１によって連結されている。一対の連結棒３１は、養液貯留部１５の第１端部１５ａの下側を通るように延びている。一対の連結棒３１の幅方向の両端部の上面には、定植板１３を養液貯留部１５の第１端部１５ａ上に載置する際に定植板１３をガイドする帯状の定植板ガイド３２が立設されている。
【００３１】
育成ラック１４の上面の第１端部１５ａにおける幅方向の両端部には、入口１４ａから長手方向の外側に向かって延びる一対のフレーム３３が設けられている。一対のフレーム３３は、一対のアーム３０の真上に位置している。一対のフレーム３３には、長手方向に所定の間隔を置いて対をなす第１滑車３４がそれぞれ設けられている。すなわち、一対のフレーム３３には、第１滑車３４が２つずつ設けられている。この場合、一対のフレーム３３には、第１滑車３４が３つ以上ずつ設けられていてもよい。一対のフレーム３３のうちの一方のフレーム３３における育成ラック１４の入口１４ａ近傍には、４つの第２滑車３５が設けられている。
【００３２】
育成ラック１４の幅方向における第２滑車３５側の側面の入口１４ａ側の端部における下部には、エアシリンダー３６が鉛直方向に延びるように設けられている。エアシリンダー３６は、その駆動により鉛直方向に往復移動するロッド３７を有している。ロッド３７の先端部には、Ｌ字板状の取付部材３８が固定されている。ロッド３７は、鉛直上方に向かって延びるように移動した上昇位置（図５に示す位置）と、鉛直下方に向かって縮むように移動した下降位置（図１に示す位置）との間で移動する。
【００３３】
４つの第１滑車３４及び４つの第２滑車３５には、４本のワイヤー３９がそれぞれ巻き掛けられている。各ワイヤー３９の先端には、錘４０が取り付けられている。各ワイヤー３９における第１滑車３４よりも先端側（錘４０側）の部分は、錘４０の重量によって鉛直下向きに垂れ下がっている。各ワイヤー３９における基端は、取付部材３８に固定されている。つまり、基端が取付部材３８に固定された各ワイヤー３９は、第２滑車３５及び第１滑車３４に巻き掛けられた後、錘４０の重量によって第１滑車３４から鉛直下向きに垂れ下がっている。
【００３４】
２つの養液貯留部１５の第１端部１５ａに位置する非載置領域２９の真上には、非載置領域２９を開閉自在に覆うことが可能な遮光性のカバー部材４１がそれぞれ配置されている。カバー部材４１は、遮光性を有していれば、合成樹脂、金属、木材、セラミック、紙などの材料によって構成してもよい。本実施形態では、カバー部材４１を黒色のプラスチック段ボールによって構成している。
【００３５】
図１及び図６に示すように、カバー部材４１は、矩形板状のカバー本体４２と、カバー本体４２の上面に設けられた一対の帯状のリブ４３とを備えている。一対のリブ４３は、養液貯留部１５の長手方向に所定の間隔を置いて配置され、互いに平行となるように幅方向に延びている。一対のリブ４３における幅方向の両端部は、カバー本体４２よりも幅方向の外側に突出している。リブ４３は、２つの帯状部材４４を貼り合わせて形成されている。
【００３６】
一対のリブ４３の幅方向の両端部は、４本のワイヤー３９にそれぞれ連結されている。この場合、各リブ４３は、２つの帯状部材４４でワイヤー３９を挟んだ状態で、ワイヤー３９に固定される。各アーム３０におけるワイヤー３９と対応する位置には、ワイヤー３９を鉛直方向にガイドするＵ字状のワイヤーガイド４５が設けられている。ワイヤーガイド４５は、アーム３０と一体形成されていてもよいし、アーム３０と別体で形成されていてもよい。
【００３７】
エアシリンダー３６の駆動によりロッド３７が上昇位置に移動されると、各ワイヤー３９が錘４０の重量によって鉛直下方に向かって引っ張られる。このため、各ワイヤー３９における第１滑車３４よりも先端側の部分が各カバー部材４１と一緒に下降する。これにより、各カバー部材４１は、養液貯留部１５における定植板１３が載置されない非載置領域２９を覆う閉塞位置（図５に示す位置）に移動される。
【００３８】
エアシリンダー３６の駆動によりロッド３７が下降位置に移動されると、各ワイヤー３９が取付部材３８によって引っ張られる。このため、各ワイヤー３９における第１滑車３４よりも先端側の部分が各カバー部材４１と一緒に上昇する。これにより、各カバー部材４１は、養液貯留部１５における定植板１３が載置されない非載置領域２９を覆わない開放位置（図１に示す位置）に移動される。
【００３９】
したがって、各カバー部材４１は、エアシリンダー３６の駆動により、非載置領域２９を閉塞する閉塞位置と非載置領域２９を開放する開放位置との間で移動する。すなわち、２つのカバー部材４１は、１つのエアシリンダー３６の駆動による４本のワイヤー３９の移動に伴って鉛直方向へ移動することによって２つの養液貯留部１５の非載置領域２９を同時に開閉する。
【００４０】
なお、本実施形態では、エアシリンダー３６、取付部材３８、ワイヤー３９、第１滑車３４、第２滑車３５、及び錘４０によって、複数（本実施形態では２つ）のカバー部材４１を移動可能な移動機構が構成される。
【００４１】
次に、植物栽培装置１１の作用について説明する。
通常、植物栽培装置１１の各養液貯留部１５は、養液貯留部１５上に載置する定植板１３を追加したり養液貯留部１５上に載置されている定植板１３を出荷場所へ移送したりしない場合、載置領域２８に複数の定植板１３が載置され、非載置領域２９にカバー部材４１が載置されている。そして、各養液貯留部１５の載置領域２８における最も第２端部１５ｂに位置する定植板１３に定植された植物１２が出荷可能な大きさまで生長すると、載置領域２８における最も第２端部１５ｂに位置する定植板１３が移送装置（図示略）によって出荷場所へ移送される。これにより、各養液貯留部１５における第２端部１５ｂに、出荷場所へ移送された１枚の定植板１３分のスペースができる。
【００４２】
続いて、エアシリンダー３６の駆動により、ロッド３７が上昇位置から下降位置に移動されると、各ワイヤー３９が取付部材３８によって引っ張られる。すると、各ワイヤー３９における第１滑車３４よりも先端側の部分が各カバー部材４１と一緒に上昇し、各カバー部材４１が閉塞位置から開放位置へ移動される。これにより、各カバー部材４１は定植板ガイド３２よりも若干高い位置まで上昇し、非載置領域２９が開放される。
【００４３】
続いて、各養液貯留部１５上の開放された非載置領域２９に生長前の植物１２が定植された定植板１３を載置する。これにより、非載置領域２９が定植板１３によって閉塞される。続いて、非載置領域２９に載置された定植板１３が押圧装置（図示略）によって定植板１３における養液貯留部１５の長手方向の幅分だけ第２端部１５ｂ側に向かって押される。すると、各養液貯留部１５上の全ての定植板１３が定植板１３における養液貯留部１５の長手方向の幅分だけ第２端部１５ｂ側にスライド移動される。
【００４４】
これにより、各養液貯留部１５上の非載置領域２９が再び開放される。続いて、エアシリンダー３６の駆動によりロッド３７が下降位置から上昇位置に移動されると、各ワイヤー３９が錘４０の重量によって鉛直下方に向かって引っ張られる。すると、各ワイヤー３９における第１滑車３４よりも先端側の部分が各カバー部材４１と一緒に下降し、各カバー部材４１が開放位置から閉塞位置へ移動される。これにより、開放されていた非載置領域２９がカバー部材４１によって再び閉塞される。
【００４５】
このように、養液貯留部１５上に載置する定植板１３を追加したり養液貯留部１５上に載置されている定植板１３を出荷場所へ移送したりする場合には、一時的に各養液貯留部１５上の非載置領域２９が開放される。しかし、通常の状態では、各養液貯留部１５上の非載置領域２９がカバー部材４１によって閉塞されるため、非載置領域２９を流れる養液１８に光源２６からの光が当たる時間は極めて短い。このため、光源２６からの光が養液１８に当たることによって藻や細菌が発生することが効果的に抑制される。
【００４６】
以上詳述した実施形態によれば、次のような効果が発揮される。
（１）植物栽培装置１１は、養液貯留部１５における定植板１３が載置されない非載置領域２９を覆う閉塞位置と非載置領域２９を覆わない開放位置との間で移動可能な遮光性のカバー部材４１を備える。このため、カバー部材４１を閉塞位置に移動させることで、光源２６から養液貯留部１５の非載置領域２９に照射される光をカバー部材４１によって遮光することができる。したがって、養液貯留部１５における非載置領域２９の養液１８に光が照射されることを効果的に抑制できる。
【００４７】
（２）植物栽培装置１１は、複数（本例では２つ）のカバー部材４１を移動可能な移動機構を備える。このため、複数のカバー部材４１を移動機構によって同時に移動させることで、複数のカバー部材４１を効率的に移動させることができる。すなわち、植物栽培装置１１では、１つのエアシリンダー３６の駆動により、全てのカバー部材４１を閉塞位置と開放位置との間で同時に移動させることができるので、複数のカバー部材４１を効率的に移動させることができる。
【００４８】
（３）植物栽培装置１１において、カバー部材４１は、鉛直方向への移動により非載置領域２９を開閉する。このため、水平方向にカバー部材４１を移動させるためのスペースを確保する必要がないので、植物栽培装置１１の設置面積を低減できる。
【００４９】
（４）植物栽培装置１１において、単位養液貯留部１６（養液貯留部１５）の第１端部１５ａには養液１８が供給される供給口１９が設けられ、単位養液貯留部１６（養液貯留部１５）の第２端部１５ｂには養液１８が排出される排出口２０が設けられている。このため、単位養液貯留部１６（養液貯留部１５）内の第１端部１５ａから第２端部１５ｂに亘って養液１８を流すことができるので、単位養液貯留部１６（養液貯留部１５）内の全体に養液１８を行き渡らせることができる。したがって、単位養液貯留部１６（養液貯留部１５）内の全体を養液１８で洗い流すことができるので、単位養液貯留部１６（養液貯留部１５）内にごみや千切れた植物１２の根１７などが溜まることを抑制できる。
【００５０】
（５）植物栽培装置１１において、排出口２０の大きさは、供給口１９の大きさよりも大きい。このため、養液１８に混じったごみや千切れた植物１２の根１７などを排出口２０から円滑に排出することができる。
【００５１】
（６）植物栽培装置１１において、エアシリンダー３６は、育成ラック１４の下部に配置されている。このため、育成ラック１４に登らなくてもエアシリンダー３６にアクセスできるので、カバー部材４１の移動量や移動速度の調整を容易に行うことができる。
【００５２】
（変更例）
なお、上記実施形態は次のように変更してもよい。
・植物栽培装置１１において、排出口２０の大きさは、必ずしも供給口１９の大きさよりも大きくする必要はない。すなわち、排出口２０の大きさを供給口１９の大きさ以下にしてもよい。
【００５３】
・植物栽培装置１１において、供給口１９は、必ずしも単位養液貯留部１６（養液貯留部１５）の第１端部１５ａに設ける必要はなく、排出口２０は、必ずしも単位養液貯留部１６（養液貯留部１５）の第２端部１５ｂに設ける必要はない。すなわち、単位養液貯留部１６（養液貯留部１５）における供給口１９及び排出口２０のそれぞれの位置は、適宜変更してもよい。
【００５４】
・植物栽培装置１１において、カバー部材４１は、必ずしも鉛直方向への移動により非載置領域２９を開閉する必要はない。すなわち、カバー部材４１は、水平方向に移動したり、回動（観音開きを含む）したりすることによって非載置領域２９を開閉するようにしてもよい。
【００５５】
・植物栽培装置１１は、移動機構を省略してもよい。
・植物栽培装置１１において、養液貯留部１５は、上端が開口した有底矩形箱状をなす１つの水槽によって構成してもよい。
【００５６】
・植物栽培装置１１において、養液貯留部１５は、１つであってもよいし、３つ以上であってもよい。
・植物栽培装置１１において、エアシリンダー３６は、鉛直方向の向きを逆にして配置してもよい。
【００５７】
・植物栽培装置１１は、カバー部材４１からリブ４３を省略してもよい。
・植物栽培装置１１は、カバー部材４１のカバー本体４２を各ワイヤー３９に固定するようにしてもよい。
【００５８】
・植物栽培装置１１は、錘４０は省略してもよい。
・植物栽培装置１１は、エアシリンダー３６の代わりに、電動シリンダー、油圧シリンダー、各ワイヤー３９を巻き取り可能な電動リールや手動リールを用いてもよい。
【００５９】
・植物栽培装置１１は、育成ラック１４の出口１４ｂの外側にカバー部材４１を設け、養液貯留部１５の第２端部１５ｂに位置する定植板１３が移送された後の養液貯留部１５の第２端部１５ｂ上のスペースをカバー部材４１によって覆うようにしてもよい。
【符号の説明】
【００６０】
１１…植物栽培装置、１２…植物、１３…定植板、１５…養液貯留部、１９…供給口、２０…排出口、２６…光源、２９…非載置領域、３４…移動機構を構成する第１滑車、３５…移動機構を構成する第２滑車、３６…移動機構を構成するエアシリンダー、３８…移動機構を構成する取付部材、３９…移動機構を構成するワイヤー、４０…移動機構を構成する錘、４１…カバー部材。
【図１】
2018170982.tif 000003
【図２】
2018170982.tif 000004
【図３】
2018170982.tif 000005
【図４】
2018170982.tif 000006
【図５】
2018170982.tif 000007
【図６】
2018170982.tif 000008
【手続補正書】
【提出日】平成30年3月26日(2018.3.26)
【手続補正１】
【補正対象書類名】特許請求の範囲
【補正対象項目名】請求項１
【補正方法】変更
【補正の内容】
【請求項１】
植物が定植された定植板を載置可能であって前記植物の根が浸される養液を貯留可能であり、且つ前記定植板が一時的に載置される非載置領域と、前記非載置領域から移動される前記定植板が載置される載置領域とを有する養液貯留部と、
前記植物に光を照射する光源と、
前記非載置領域に前記定植板が載置されていないときに、前記非載置領域を覆う閉塞位置と前記非載置領域を覆わない開放位置との間で移動される遮光性のカバー部材と、を備えることを特徴とする植物栽培装置。
【手続補正書】
【提出日】平成30年7月30日(2018.7.30)
【手続補正１】
【補正対象書類名】特許請求の範囲
【補正対象項目名】全文
【補正方法】変更
【補正の内容】
【特許請求の範囲】
【請求項１】
植物が定植された定植板を載置可能であって前記植物の根が浸される養液を貯留可能であり、且つ前記定植板が一時的に載置される非載置領域と、前記非載置領域から移動される前記定植板が載置される載置領域とを有する複数の養液貯留部と、
前記植物に光を照射する光源と、
前記非載置領域に前記定植板が載置されていないときに、前記非載置領域を覆う閉塞位置と前記非載置領域を覆わない開放位置との間で移動される複数の遮光性のカバー部材と、
複数の前記カバー部材を同時に移動可能な移動機構と、
を備え、
複数の前記養液貯留部は、鉛直方向に間隔を置いて配置され、
前記カバー部材は、鉛直方向への移動により前記非載置領域を開閉し、
前記移動機構は、
複数の前記カバー部材のそれぞれと固定される複数のワイヤーと、
複数の前記カバー部材の鉛直下方に位置する前記ワイヤーの先端に取り付けられた錘と、
前記ワイヤーの先端から見て複数の前記カバー部材に対して反対側に位置する前記ワイヤーの基端に取り付けられた駆動部と、
を備え、
前記駆動部は、エアシリンダー、電動シリンダー、油圧シリンダー、電動リール、及び手動リールのうちのいずれかであることを特徴とする植物栽培装置。
【請求項２】
前記養液貯留部は、一方向に延びており、
前記養液貯留部の長手方向における一端部には前記養液が供給される供給口が設けられ、前記養液貯留部の長手方向における他端部には前記養液が排出される排出口が設けられていることを特徴とする請求項１に記載の植物栽培装置。
【請求項３】
前記排出口の大きさは、前記供給口の大きさよりも大きいことを特徴とする請求項２に記載の植物栽培装置。